(57)【要約】【課題】簡単な構造にて容易に使用することができ、風呂湯の垢や毛を楽しく遊びながら取り除くことができる風呂の垢取り器を提供することを目的とする。【解決手段】風呂の湯面に浮く動物の形状の外殻体１と、外殻体１に付設されて推進力を付与するためのスクリュー５と駆動モーター６とを、備える。かつ、外殻体１の口部４から導入される風呂湯の垢や毛を除去するフィルターＦを外殻体１内に取り外し自在に内装したものである。【選択図】図３
0003124834.tif 000002
【実用新案登録請求の範囲】
【請求項１】
風呂の湯面に浮く動物の形状の外殻体（１）と、該外殻体（１）に付設されて推進力を付与するためのスクリュー（５）と駆動モーター（６）とを、備え、上記外殻体（１）の口部（４）から導入される風呂湯の垢や毛を除去するフィルター（Ｆ）を上記外殻体（１）内に取り外し自在に内装したことを特徴とする風呂の垢取り器。
【請求項２】
風呂の湯面に浮く動物の形状の外殻体（１）を備え、該外殻体（１）は、推進力を付与するスクリュー（５）と該スクリュー（５）を回転させる駆動モーター（６）とを有する胴体部（２）と、該胴体部（２）に着脱自在に取り付けられる腹皮形成受皿体（３）とを、有し、上記胴体部（２）の前端の上顎部（７）と上記腹皮形成受皿体（３）の前端の下顎部（８）との間に形成された口部（４）から導入される風呂湯の垢や毛を除去するフィルター（Ｆ）を、上記胴体部（２）と上記腹皮形成受皿体（３）との間に取り外し自在に内装したことを特徴とする風呂の垢取り器。
【請求項３】
風呂の湯面に浮く動物の形状の外殻体（１）を備え、該外殻体（１）は、推進力を付与するスクリュー（５）と該スクリュー（５）を回転させる駆動モーター（６）とを有する胴体部（２）と、該胴体部（２）に着脱自在に取り付けられる腹皮形成受皿体（３）とを、有し、上記胴体部（２）の前端の上顎部（７）と上記腹皮形成受皿体（３）の前端の下顎部（８）との間に形成された口部（４）から導入される風呂湯の垢や毛を除去するフィルター（Ｆ）を、上記胴体部（２）と上記腹皮形成受皿体（３）との間に取り外し自在に内装し、上記駆動モーター（６）は上記胴体部（２）の密封室（９）に内装され、駆動モーター（６）と連動連結した回転軸（10）に固着された第１駆動マグネット（11）と、上記密封室（９）の外側に配設された上記スクリュー（５）の軸部（13）に固着された第２駆動マグネット（12）とが、上記密封室（９）を形成する仕切壁（14）を介して互いに磁着していることを特徴とする風呂の垢取り器。
【請求項４】
風呂の湯面に浮く動物の形状の外殻体（１）と、該外殻体（１）に付設されて推進力を付与するためのスクリュー（５）と駆動モーター（６）とを、備え、上記外殻体（１）の口部（４）から導入される風呂湯の垢や毛を除去するフィルター（Ｆ）を上記外殻体（１）内に取り外し自在に内装し、上記外殻体（１）から突出すると共に枢支軸（31）を介して該外殻体（１）に上下揺動自在に枢着された尾ヒレ部（29）を備え、上記駆動モーター（６）と連動して回転する偏心カム（34）と、該偏心カム（34）の回転動を上下揺動運動に切り換えて上記尾ヒレ部（29）へ付与する揺動アーム部（30）とを、上記外殻体（１）内に配設したことを特徴とする風呂の垢取り器。
【請求項５】
風呂の湯面に浮く動物の形状の外殻体（１）と、該外殻体（１）に付設されて推進力を付与するためのスクリュー（５）と駆動モーター（６）とを、備え、上記外殻体（１）の口部（４）から導入される風呂湯の垢や毛を除去するフィルター（Ｆ）を上記外殻体（１）内に取り外し自在に内装し、上記スクリュー（５）の羽根部（37）が上記外殻体（１）内に配設され、上記導入された風呂湯を上記スクリュー（５）にて後方外部へ送り出すための吐出口（16）を上記外殻体（１）に貫設したことを特徴とする風呂の垢取り器。
【請求項６】
風呂の湯面に浮く動物の形状の外殻体（１）と、該外殻体（１）に付設されて推進力を付与するためのスクリュー（５）と駆動モーター（６）とを、備え、上記外殻体（１）の口部（４）から導入される風呂湯の垢や毛を除去するフィルター（Ｆ）を上記外殻体（１）内に取り外し自在に内装し、上記外殻体（１）を風呂湯に浮かべた状態で上記口部（４）の開口下縁部（４ａ）を湯面（Ｙ）から下方へ３mm以上11mm以下の深さ（Ｄ）にくるように配置したことを特徴とする風呂の垢取り器。
【考案の詳細な説明】
【技術分野】
【０００１】
本考案は、風呂の垢取り器に関する。
【背景技術】
【０００２】
浴槽の湯面に浮いた垢や毛等を取り除く風呂の垢取り装置がある。従来の垢取り装置として、例えば、浴槽の内壁面に吸引器や巻取り装置を備え付けたものがある。そして、湯面に浮かせた垢寄せ紐を巻取り装置で巻き取っていき、その垢寄せ紐にて湯面に浮く垢や毛等を吸引器側へ引き寄せて吸引回収していた（例えば、特許文献１参照）。
【特許文献１】実開平５−４４２１０号公報
【考案の開示】
【考案が解決しようとする課題】
【０００３】
しかし、従来の垢取り装置は、構造が複雑なものであり、吸引器や紐巻取り装置等の浴槽壁への取付作業も大変であった。また、そのような大掛かりな装置を浴槽壁に取り付けると浴室内の美観も損なうといった問題があった。
【０００４】
そこで、本考案は、簡単な構造にて容易に使用することができ、風呂湯の垢や毛を楽しく遊びながら取り除くことができる風呂の垢取り器を提供することを目的とする。
【課題を解決するための手段】
【０００５】
上記目的を達成するために、本考案に係る風呂の垢取り器は、風呂の湯面に浮く動物の形状の外殻体と、該外殻体に付設されて推進力を付与するためのスクリューと駆動モーターとを、備え、上記外殻体の口部から導入される風呂湯の垢や毛を除去するフィルターを上記外殻体内に取り外し自在に内装したものである。
【０００６】
また、風呂の湯面に浮く動物の形状の外殻体を備え、該外殻体は、推進力を付与するスクリューと該スクリューを回転させる駆動モーターとを有する胴体部と、該胴体部に着脱自在に取り付けられる腹皮形成受皿体とを、有し、上記胴体部の前端の上顎部と上記腹皮形成受皿体の前端の下顎部との間に形成された口部から導入される風呂湯の垢や毛を除去するフィルターを、上記胴体部と上記腹皮形成受皿体との間に取り外し自在に内装したものである。
【０００７】
また、風呂の湯面に浮く動物の形状の外殻体を備え、該外殻体は、推進力を付与するスクリューと該スクリューを回転させる駆動モーターとを有する胴体部と、該胴体部に着脱自在に取り付けられる腹皮形成受皿体とを、有し、上記胴体部の前端の上顎部と上記腹皮形成受皿体の前端の下顎部との間に形成された口部から導入される風呂湯の垢や毛を除去するフィルターを、上記胴体部と上記腹皮形成受皿体との間に取り外し自在に内装し、上記駆動モーターは上記胴体部の密封室に内装され、駆動モーターと連動連結した回転軸に固着された第１駆動マグネットと、上記密封室の外側に配設された上記スクリューの軸部に固着された第２駆動マグネットとが、上記密封室を形成する仕切壁を介して互いに磁着しているものである。
【０００８】
また、風呂の湯面に浮く動物の形状の外殻体と、該外殻体に付設されて推進力を付与するためのスクリューと駆動モーターとを、備え、上記外殻体の口部から導入される風呂湯の垢や毛を除去するフィルターを上記外殻体内に取り外し自在に内装し、上記外殻体から突出すると共に枢支軸を介して該外殻体に上下揺動自在に枢着された尾ヒレ部を備え、上記駆動モーターと連動して回転する偏心カムと、該偏心カムの回転動を上下揺動運動に切り換えて上記尾ヒレ部へ付与する揺動アーム部とを、上記外殻体内に配設したものである。
【０００９】
また、風呂の湯面に浮く動物の形状の外殻体と、該外殻体に付設されて推進力を付与するためのスクリューと駆動モーターとを、備え、上記外殻体の口部から導入される風呂湯の垢や毛を除去するフィルターを上記外殻体内に取り外し自在に内装し、上記スクリューの羽根部が上記外殻体内に配設され、上記導入された風呂湯を上記スクリューにて後方外部へ送り出すための吐出口を上記外殻体に貫設したものである。
【００１０】
また、風呂の湯面に浮く動物の形状の外殻体と、該外殻体に付設されて推進力を付与するためのスクリューと駆動モーターとを、備え、上記外殻体の口部から導入される風呂湯の垢や毛を除去するフィルターを上記外殻体内に取り外し自在に内装し、上記外殻体を風呂湯に浮かべた状態で上記口部の開口下縁部を湯面から下方へ３mm以上11mm以下の深さにくるように配置したものである。
【考案の効果】
【００１１】
本考案は、次のような著大な効果を奏する。
本考案に係る風呂の垢取り器によれば、外殻体が自ら前進して風呂湯と一緒に垢や毛を口部から内部へ導入し、内部のフィルターでその垢や毛を回収することができる。
また、入浴中に楽しく遊びながら風呂湯の垢や毛を取り除くことができ、簡単な構造であるので、容易に使用することができる。さらに、外殻体に内装したフィルターを取り出すことができ、フィルターの掃除や交換を容易に行うことができる。
また、本考案の垢取り器を未使用時に浴室内に置いていても、邪魔にならず浴室内の美観も損なうことがない。
【考案を実施するための最良の形態】
【００１２】
以下、実施の形態に示す図面に基づき本考案を詳説する。
図１は本考案の風呂の垢取り器の斜視図、図２はその分解斜視図である。
図１に示すように、本考案の風呂の垢取り器は、動物（図ではくじら）の形状の外殻体１を備え、外殻体１は風呂の湯面に浮くようになっている。外殻体１には風呂湯を内部へ導入するための口部４が形成されており、この口部４から導入される風呂湯の垢や毛を除去するためのフィルターＦが外殻体１に内装されている。
【００１３】
外殻体１は、（くじら形の）頭部や背部等に相当する中空の胴体部２と、胴体部２の下面に着脱自在に取り付けられる腹皮形成受皿体３とを、有し、胴体部２と腹皮形成受皿体３との間には上記フィルターＦが取り外し自在に装着される。
【００１４】
言い換えれば、図２に示すように、外殻体１は胴体部２と腹皮形成受皿体３とに分解可能となっており、さらに、内部のフィルターＦは胴体部２及び腹皮形成受皿体３から分離可能となっている。
【００１５】
腹皮形成受皿体３は下方へ膨出した椀形の部材であり、胴体部２と腹皮形成受皿体３とを嵌め合わせた図１の状態で、胴体部２の下面と腹皮形成受皿体３の上面との間に風呂湯を通過させる湯流路15が形成される。また、胴体部２の前端の上顎部７と腹皮形成受皿体３の前端の下顎部８との間に、風呂湯を湯流路15へ供給する口部４が形成される。さらに、腹皮形成受皿体３の後端部には、湯流路15を通過した風呂湯を外部へ排出する吐出口16が貫設されている（図２参照）。
【００１６】
フィルターＦは垢や毛の通過を阻止できる細かい編み目の袋状の部材であり、その開口縁部は略半月形の環状枠体17に取り付けられている。そして、腹皮形成受皿体３の上面（内部凹曲面）には、略半円弧状の２本の突条部41，41が突設され、突条部41，41の間には環状枠体17を嵌め込む取着溝18が形成される（図２参照）。
【００１７】
また、図２に示すように、胴体部２の下面には複数の差込ピン19が突設され、腹皮形成受皿体３の上面の縁部には、差込ピン19と対応する位置に筒状部20が付設されている。この差込ピン19を対応する筒状部20の挿入孔21へ挿入することで、胴体部２と腹皮形成受皿体３とが嵌め合わされる。なお、差込ピン19は胴体部２の下面の両側端縁に３個ずつ、合計６個付設されているが図示省略する。
【００１８】
図３の断面側面図に於てさらに詳しく説明すると、胴体部２は（外殻体１に）推進力を付与するスクリュー５と、スクリュー５を回転させる駆動モーター６とを、有する。駆動モーター６は胴体部２の完全防水された密封室９に内装され、密封室９は胴体部２に浮力を与える役割も果たす。図では、密封室９内の駆動モーター６の回転力を密封室９外のスクリュー５に伝達する手段として、マグネットカップリング機構Ｍが用いられている。
【００１９】
マグネットカップリング機構Ｍは、第１駆動マグネット11と第２駆動マグネット12とを有し、第１駆動マグネット11は駆動モーター６と連動連結した回転軸10に固着され、第２駆動マグネット12はスクリュー５の軸部13に固着されている。そして、第１駆動マグネット11と第２駆動マグネット12は、密封室９を形成する仕切壁14を介して互いに磁着している。
【００２０】
また、密封室９内に駆動モーター６の電源部22が設けられている。電源部22は、例えば電池であり、電源部22は密封室９内で駆動モーター６と仕切られた電源収納室23に内装されている。電源収納室23の下方には蓋部24が設けられており、蓋部24を開放して電源部22の電池を新しい電池と交換することができる。具体的には、蓋部24は密封室９を形成する仕切壁14の一部が開閉可能となったものであり、電源収納室23の開口縁部には、電源収納室23を防水するリング状シール部材25が取り付けられている。なお、電源部22の電池は充電式のものであってもよい。
【００２１】
胴体部２の上面部（背面部）には駆動モーター６のＯＮ−ＯＦＦを切り換えるスイッチ26が設けられ、スイッチ26は仕切壁14に貫設された孔部27から外方へ突出して配設されている。また、スイッチ26は、芯材部40と、芯材部40に被せられたゴム製の防水キャップ28とを、有する。この防水キャップ28にて孔部27を密閉し内部へ浸水しないようになっている。
【００２２】
胴体部２の後部には上下に揺動する尾ヒレ部29が付設されている。さらに、尾ヒレ部29と、尾ヒレ部29を胴体部２に枢着する枢支軸31と、駆動モーター６の回転動を上下方向の揺動運動へ切り換えて尾ヒレ部29へ付与する揺動アーム部30とが、一体状に連結されている。枢支軸31と揺動アーム部30は、胴体部２の外壁より内側の収容部32内に配設され、尾ヒレ部29は収容部32から後方へ突出（露出）している。この尾ヒレ部29には、くじらの尾ヒレや魚の尾ヒレ以外に、ワニの尾やアザラシの後肢等の動物の胴体後部に延伸状に有する体の一部を含む。
【００２３】
図４は、揺動アーム部30の前端部を後方から見た図であり、図４に示すように、揺動アーム部30はその前端部に二股に分かれた（倒立）Ｕ字受け部33を有する。図に於て、34は駆動モーター６の回転動が伝達されてＵ字受け部33内で回転する偏心カムであり、35はＵ字受け部33を下方へ弾発付勢する圧縮バネである。
【００２４】
図３に示すように、偏心カム34は中心に回転軸を有する連繋歯車38と一体状に形成されている。また、スクリュー５の軸部13の前端外周面には多数の凹凸が形成されたギア部39を有し、ギア部39と連繋歯車38とが噛合している。このようにして、上記マグネットカップリング機構Ｍにて駆動モーター６からスクリュー５に与えられた回転力を、尾ヒレ部29に伝達するように構成されている。
【００２５】
偏心カム34、圧縮バネ35、及び、第２駆動マグネット12、スクリュー５の軸部13の前端部は、収容部32内に配設されている。この収容部32を形成する（胴体部２の）外壁には、尾ヒレ部29が揺動するための穴（隙間）が貫設されているので密封されておらず、内部へ風呂湯が浸水する。そのため、胴体部２後部の外壁側面には、収容部32に入った風呂湯を排出する排水口36が設けられている。
【００２６】
また、スクリュー５の羽根部37は、胴体部２と湯流路15内（腹皮形成受皿体３との間）に配設されている。即ち、スクリュー５は、外殻体１に推進力を付与すると共に、風呂湯を口部４から湯流路15内へ吸い込む役割を果たしている。また、スクリュー５の羽根部37は腹皮形成受皿体３内に隠されているので、使用時にスクリュー５により怪我をする虞がない。
【００２７】
本考案の風呂の垢取り器は設計変更自由であり、外殻体１をカバ、カエル、魚、ワニ、アザラシ等の他の動物の形状に成形してもよい。
また、揺動アーム部30を下方へ弾発付勢する圧縮バネ35の代わりに、枢支軸31に付設され枢支軸31を中心に回転トルクを与えるバネ部材であってもよい。
【００２８】
上述した本考案である風呂の垢取り器の使用方法（作用）について説明する。
図３に於て、まず、本考案の風呂の垢取り器のスイッチ26を押して駆動モーター６をＯＮにする。駆動モーター６の回転力は第１駆動マグネット11に伝わり、第１駆動マグネット11が回転する。第１駆動マグネット11が回転すると、第１駆動マグネット11と磁着する第２駆動マグネット12が同期して回転し、スクリュー５が回転する。
【００２９】
また、スクリュー５のギア部39と噛合する連繋歯車38が、スクリュー５の回転と連動して回転し、偏心カム34も回転する。偏心カム34がＵ字受け部33に摺接して回転することで、揺動アーム部30（Ｕ字受け部33）が周期的に上方へ押し上げられる（図４参照）。そして、揺動アーム部30の上下動に伴って尾ヒレ部29が上下に揺動する。
【００３０】
本考案の垢取り器を上記駆動状態にして、浴槽の湯へ浮かせる。
この垢取り器を湯面に浮かせた状態では、図５に示すように、風呂湯を導入する口部４（下顎部８）の開口下縁部４ａは湯面Ｙより下方へ３mm以上11mm以下の深さＤにくるように配置されている。開口下縁部４ａを湯面Ｙから下方へ３mm未満の深さＤに配置すると、口部４から導入する垢・毛Ａの量が少なくなり、垢・毛Ａを十分に吸い込むことが難しくなるからである。また、湯面Ｙから下方へ11mmを越える深さＤに配置すると、垢・毛Ａが上顎部７に付着して口部４から内部へ導入しにくくなるからである。なお、図では、口部４の開口下縁部４ａは湯面Ｙと平行の略水平面状に配設されている。
【００３１】
湯面に浮かせた垢取り器（外殻体１）は回転するスクリュー５により推進力が与えられ、尾ヒレ部29を上下に揺動させながら（図に於て左側へ）前進する。そして、湯面Ｙに浮く垢・毛Ａが風呂湯と一緒に口部４から湯流路15内へ導入されると、湯流路15の途中にあるフィルターＦにて垢・毛Ａが回収される。垢・毛Ａが取り除かれた風呂湯は湯流路15を通過し、後方の吐出口16から排出される。
【００３２】
また、垢・毛Ａを回収したフィルターＦの掃除を行う場合、又は、新しいフィルターＦに交換する場合は、図２に示すように、まず、胴体部２と腹皮形成受皿体３とを上下に分離する。次に、腹皮形成受皿体３の取着溝18から環状枠体17と共にフィルターＦを取り外す。
掃除したフィルターＦ（又は新しいフィルターＦ）を取着溝18へ嵌め込む際は、フィルターＦが後方へ膨出する向きに環状枠体17を嵌め込み、次に、胴体部２と腹皮形成受皿体３とを嵌め合わせる。
【００３３】
以上のように、本考案である風呂の垢取り器は、風呂の湯面に浮く動物の形状の外殻体１と、外殻体１に付設されて推進力を付与するためのスクリュー５と駆動モーター６とを、備え、外殻体１の口部４から導入される風呂湯の垢や毛を除去するフィルターＦを外殻体１内に取り外し自在に内装したので、外殻体１が自ら前進して風呂湯と一緒に垢や毛を口部４から内部へ導入し、内部のフィルターＦでその垢や毛を回収することができる。    また、入浴中に楽しく遊びながら風呂湯の垢や毛を取り除くことができ、簡単な構造であるので、容易に使用することができる。さらに、外殻体１に内装したフィルターＦを取り出すことができ、フィルターＦの掃除や交換を容易に行うことができる。
また、本考案の垢取り器を未使用時に浴室内に置いていても、邪魔にならず浴室内の美観も損なうことがない。
【００３４】
また、風呂の湯面に浮く動物の形状の外殻体１を備え、外殻体１は、推進力を付与するスクリュー５とスクリュー５を回転させる駆動モーター６とを有する胴体部２と、胴体部２に着脱自在に取り付けられる腹皮形成受皿体３とを、有し、胴体部２の前端の上顎部７と腹皮形成受皿体３の前端の下顎部８との間に形成された口部４から導入される風呂湯の垢や毛を除去するフィルターＦを、胴体部２と腹皮形成受皿体３との間に取り外し自在に内装したので、外殻体１が自ら前進して風呂湯と一緒に垢や毛を口部４から内部へ導入し、内部のフィルターＦでその垢や毛を回収することができる。
また、入浴中に楽しく遊びながら風呂湯の垢や毛を取り除くことができ、簡単な構造であるので、容易に使用することができる。さらに、外殻体１を胴体部２と腹皮形成受皿体３とに簡単に分解して内部のフィルターＦを取り出すことができ、フィルターＦの掃除や交換を容易に行うことができる。
また、本考案の垢取り器を未使用時に浴室内に置いていても、邪魔にならず浴室内の美観も損なうことがない。
【００３５】
また、風呂の湯面に浮く動物の形状の外殻体１を備え、外殻体１は、推進力を付与するスクリュー５とスクリュー５を回転させる駆動モーター６とを有する胴体部２と、胴体部２に着脱自在に取り付けられる腹皮形成受皿体３とを、有し、胴体部２の前端の上顎部７と腹皮形成受皿体３の前端の下顎部８との間に形成された口部４から導入される風呂湯の垢や毛を除去するフィルターＦを、胴体部２と腹皮形成受皿体３との間に取り外し自在に内装し、駆動モーター６は胴体部２の密封室９に内装され、駆動モーター６と連動連結した回転軸10に固着された第１駆動マグネット11と、密封室９の外側に配設されたスクリュー５の軸部13に固着された第２駆動マグネット12とが、密封室９を形成する仕切壁14を介して互いに磁着しているので、外殻体１が自ら前進して風呂湯と一緒に垢や毛を口部４から内部へ導入し、内部のフィルターＦでその垢や毛を回収することができる。
また、入浴中に楽しく遊びながら風呂湯の垢や毛を取り除くことができ、簡単な構造であるので、容易に使用することができる。さらに、外殻体１を胴体部２と腹皮形成受皿体３とに簡単に分解して内部のフィルターＦを取り出すことができ、フィルターＦの掃除や交換を容易に行うことができる。
駆動モーター６が密封室９に内装されているので、駆動モーター６が水（風呂湯）に濡れて故障することを防止することができる。さらに、仕切壁14を介して互いに磁着する第１駆動マグネット11と第２駆動マグネット12とを備えることにより、密封室９内の駆動モーター６の回転力を密封室９外のスクリュー５へと伝達することができる。
また、本考案の垢取り器を未使用時に浴室内に置いていても、邪魔にならず浴室内の美観も損なうことがない。
【００３６】
また、風呂の湯面に浮く動物の形状の外殻体１と、外殻体１に付設されて推進力を付与するためのスクリュー５と駆動モーター６とを、備え、外殻体１の口部４から導入される風呂湯の垢や毛を除去するフィルターＦを外殻体１内に取り外し自在に内装し、外殻体１から突出すると共に枢支軸31を介して外殻体１に上下揺動自在に枢着された尾ヒレ部29を備え、駆動モーター６と連動して回転する偏心カム34と、偏心カム34の回転動を上下揺動運動に切り換えて尾ヒレ部29へ付与する揺動アーム部30とを、外殻体１内に配設したので、外殻体１が自ら前進して風呂湯と一緒に垢や毛を口部４から内部へ導入し、内部のフィルターＦでその垢や毛を回収することができる。
また、入浴中に楽しく遊びながら風呂湯の垢や毛を取り除くことができ、簡単な構造であるので、容易に使用することができる。さらに、外殻体１に内装したフィルターＦを取り出すことができ、フィルターＦの掃除や交換を容易に行うことができる。
また、本考案の垢取り器を未使用時に浴室内に置いていても、邪魔にならず浴室内の美観も損なうことがない。
また、スクリュー５と尾ヒレ部29とを共通の駆動モーター６で駆動することができるので、軽量化・コンパクト化を図ることができる。そして、本考案の垢取り器は、尾ヒレ部29を上下に揺動させながら風呂湯内を前進するように構成されているので、見た目にも楽しいものとなる。
【００３７】
また、風呂の湯面に浮く動物の形状の外殻体１と、外殻体１に付設されて推進力を付与するためのスクリュー５と駆動モーター６とを、備え、外殻体１の口部４から導入される風呂湯の垢や毛を除去するフィルターＦを外殻体１内に取り外し自在に内装し、スクリュー５の羽根部37が外殻体１内に配設され、導入された風呂湯をスクリュー５にて後方外部へ送り出すための吐出口16を外殻体１に貫設したので、外殻体１が自ら前進して風呂湯と一緒に垢や毛を口部４から内部へ導入し、内部のフィルターＦでその垢や毛を回収することができる。
また、入浴中に楽しく遊びながら風呂湯の垢や毛を取り除くことができ、簡単な構造であるので、容易に使用することができる。さらに、外殻体１に内装したフィルターＦを取り出すことができ、フィルターＦの掃除や交換を容易に行うことができる。
また、本考案の垢取り器を未使用時に浴室内に置いていても、邪魔にならず浴室内の美観も損なうことがない。
また、スクリュー５の羽根部37が外殻体１内に配設されているので、回転するスクリュー５の羽根部37により怪我をする虞がなく、安全に使用することができる。さらに、スクリュー５にて外殻体１内へ風呂湯を吸い込み易くなり、垢や毛を十分に回収することができる。
【００３８】
また、風呂の湯面に浮く動物の形状の外殻体１と、外殻体１に付設されて推進力を付与するためのスクリュー５と駆動モーター６とを、備え、外殻体１の口部４から導入される風呂湯の垢や毛を除去するフィルターＦを外殻体１内に取り外し自在に内装し、外殻体１を風呂湯に浮かべた状態で口部４の開口下縁部４ａを湯面Ｙから下方へ３mm以上11mm以下の深さＤにくるように配置したので、外殻体１が自ら前進して風呂湯と一緒に垢や毛を口部４から内部へ導入し、内部のフィルターＦでその垢や毛を回収することができる。
また、入浴中に楽しく遊びながら風呂湯の垢や毛を取り除くことができ、簡単な構造であるので、容易に使用することができる。さらに、外殻体１に内装したフィルターＦを取り出すことができ、フィルターＦの掃除や交換を容易に行うことができる。
また、本考案の垢取り器を未使用時に浴室内に置いていても、邪魔にならず浴室内の美観も損なうことがない。
また、外殻体１を風呂湯に浮かべた状態で口部４の開口下縁部４ａを湯面Ｙから下方へ３mm以上11mm以下の深さＤにくるように配置したので、口部４から湯面Ｙに浮く垢や毛を導入し易くなり内部のフィルターＦにて確実に回収することができる。即ち、開口下縁部４ａを湯面Ｙから下方へ３mm未満の深さＤに配置すると、口部４から導入する垢・毛Ａの量が少なくなって十分に吸い込むことが難しくなり、また、湯面Ｙから下方へ11mmを越える深さＤに配置すると、垢・毛Ａが上顎部７に付着して口部４から内部へ導入しにくくなるからである。
【図面の簡単な説明】
【００３９】
【図１】本考案の斜視図である。
【図２】分解斜視図である。
【図３】断面側面図である。
【図４】要部拡大図である。
【図５】使用状態を示す説明図である。
【符号の説明】
【００４０】
１  外殻体
２  胴体部
３  腹皮形成受皿体
４  口部
４ａ  開口下縁部
５  スクリュー
６  駆動モーター
７  上顎部
８  下顎部
９  密封室
10  回転軸
11  第１駆動マグネット
12  第２駆動マグネット
13  軸部
14  仕切壁
16  吐出口
29  尾ヒレ部
30  揺動アーム部
31  枢支軸
34  偏心カム
37  羽根部
Ｄ  深さ
Ｆ  フィルター
Ｙ  湯面
【図１】
0003124834.tif 000003
【図２】
0003124834.tif 000004
【図３】
0003124834.tif 000005
【図４】
0003124834.tif 000006
【図５】
0003124834.tif 000007